(57)【要約】【課題】雄部材における堅牢性を高めることが可能なバックルを提供する。【解決手段】可撓性を有して互いに対向する一対のアーム２２が基部から延設された雄部材２と、一対のアーム２２との係合によって雄部材２に連結される雌部材３とを備えるバックル１において、雄部材２は、一対のアーム２２を連結する可撓性のブリッジ２５を有し、ブリッジ２５は、一対のアーム２２の各々が他のアーム２２と対向する対向面に連結され、一対のアーム２２の各々とブリッジ２５とが連結される連結部位では、アーム２２の基端を中心として基端から連結部位までの距離を半径とする円の接線方向に沿って、アーム２２における対向面から他のアーム２２に向けてブリッジ２５が突設される。【選択図】図１
2011254928.tif 000002
【特許請求の範囲】
【請求項１】
可撓性を有して互いに対向する一対のアームが基部から延設された雄部材と、
前記一対のアームとの係合によって前記雄部材に連結される雌部材とを備えるバックルにおいて、
前記雄部材は、前記一対のアームを連結する可撓性のブリッジを有し、
前記ブリッジは、前記一対のアームの各々が他のアームと対向する対向面に連結され、
前記一対のアームの各々と前記ブリッジとが連結される連結部位は、
該アームの可動範囲の少なくとも一部において、該アームの基端を中心として該基端から前記連結部位までの距離を半径とする円の接線方向に沿って、該アームにおける前記対向面から前記他のアームに向けて前記ブリッジが突出するように形成されている
ことを特徴とするバックル。
【請求項２】
前記一対のアームの各々における前記半径が互いに等しい
ことを特徴とする請求項１に記載のバックル。
【請求項３】
前記一対のアームは、前記雌部材に係止される被係止部を先端寄りに有し、
前記連結部位は、前記被係止部に対する前記基部側である
ことを特徴とする請求項１または２に記載のバックル。
【請求項４】
前記一対のアームが含まれる平面と対向する平面視において、前記ブリッジが前記基部に向けて凸状に湾曲したΩ字状である
ことを特徴とする請求項１〜３のいずれか一項に記載のバックル。
【請求項５】
前記ブリッジは、
前記アームの先端部が互いに接近及び離間する動作に応じて変形する湾曲部分を有し、
前記一対のアームの各々には、
前記対向面における前記ブリッジの前記基部側に突設され、前記ブリッジの湾曲部分と当接することによって前記ブリッジにおける変形量を規制する規制部が設けられている
ことを特徴とする請求項１〜４のいずれか一項に記載のバックル。
【発明の詳細な説明】
【技術分野】
【０００１】
本発明は、雌部材に雄部材が着脱自在に連結するバックルに関する。
【背景技術】
【０００２】
従来から、例えば特許文献１及び特許文献２に記載のように、雄部材と雌部材とから構成されるバックルが知られている。
特許文献１及び特許文献２に記載のバックルを構成する雄部材には、互いに対向する一対のアームが基部から延びるように設けられている。一対のアームの各々において他のアームと対向する面には、一対のアームが互いに離れ過ぎないように、一対のアームを互いに連結するＵ字形状のブリッジが形成されている。
【先行技術文献】
【特許文献】
【０００３】
【特許文献１】特開２００９−１１４９２号公報
【特許文献２】特開２００４−３１３２６８号公報
【発明の概要】
【発明が解決しようとする課題】
【０００４】
ところで、上記特許文献１及び特許文献２に記載のバックルにあっては上述のように、Ｕ字形状のブリッジによって一対のアームが互いに連結される分だけ、一対のアームが互いに離れるような外力に対してアームの堅牢性が確保されている。一方、Ｕ字形状のブリッジとアームとが連結される部位では、ブリッジにおけるアーム寄りの連結部位とアームの側面との成す角度が鋭角となるように、ブリッジとアームとが連結されている。そのため一対のアームが互いに離れるような外力がアームに加わると、ブリッジとアームとが連結される部位にせん断力が発生することとなる。その結果、上述したような外力が過度に加わることになると、アームとブリッジとの連結が維持され難くなり、ひいてはアームの堅牢性も確保され難くなってしまう。それゆえにアームの堅牢性を高める上では、上述したバックルも依然として改善の余地を残すものである。
【０００５】
本発明は、こうした実情に鑑みてなされたものであり、雄部材における堅牢性を高めることが可能なバックルを提供することを目的とする。
【課題を解決するための手段】
【０００６】
こうした目的を達成するため、請求項１に記載の発明は、可撓性を有して互いに対向する一対のアームが基部から延設された雄部材と、前記一対のアームとの係合によって前記雄部材に連結される雌部材とを備えるバックルにおいて、前記雄部材は、前記一対のアームを連結する可撓性のブリッジを有し、前記ブリッジは、前記一対のアームの各々が他のアームと対向する対向面に連結され、前記一対のアームの各々と前記ブリッジとが連結される連結部位は、該アームの可動範囲の少なくとも一部において、該アームの基端を中心として該基端から前記連結部位までの距離を半径とする円の接線方向に沿って、該アームにおける前記対向面から前記他のアームに向けて前記ブリッジが突出するように形成されていることを要旨とする。
【０００７】
一対のアームが互いに離れるような力がアームに加わると、一対のアームの各々における各部位は、該アームの基端を中心とした円上を移動する。そしてブリッジとアームとが連結される連結部位も、このような円上を移動することとなる。請求項１に記載の発明によれば、このような連結部位が移動する範囲の少なくとも一部で、該移動する方向に沿っ
てブリッジが突出するため、連結部位におけるせん断力を抑えることができ、ひいてはバックルにおける堅牢性を高めることができるようになる。
【０００８】
請求項２に記載の発明は、請求項１に記載のバックルにおいて、前記一対のアームの各々における前記半径が互いに等しいことを要旨とする。
請求項２に記載の発明によれば、一方の連結部位に対する引張力は、ブリッジを介して他方の連結部位にも作用する。そして一対のアームの各々における上記半径が互いに異なる構成では、一対のアームの各々における上記接線方向が大きく異なるため、上述した連結部位間の相互作用に基づき、せん断力がより大きなものとなってしまう。この点、請求項２に記載のバックルによれば、一対のアームの各々における上記半径が互いに等しいため、上記半径が互いに異なる構成と比較して、一方の連結部位に対する引張力が他方の連結部位に作用することに起因したせん断力を抑えることができる。
【０００９】
請求項３に記載の発明は、請求項１または２に記載のバックルにおいて、前記一対のアームは、前記雌部材に係止される被係止部を先端寄りに有し、前記連結部位は、前記被係止部に対する前記基部側であることを要旨とする。
【００１０】
請求項３に記載の発明によれば、被係止部に作用する係止力が一対のアームにおける先端寄りに作用する一方、連結部位に作用する引張力が上記係止力の作用部位とは異なる部位に作用することとなる。そのため、これら係止力と引張力とが同じ部位に作用しなくなるため、バックルにおける堅牢性をさらに高めることができるようになる。
【００１１】
請求項４に記載の発明は、請求項１〜３のいずれか一項に記載のバックルにおいて、前記一対のアームが含まれる平面と対向する平面視において、前記ブリッジが前記基部に向けて凸状に湾曲したΩ字状であることを要旨とする。
【００１２】
請求項４に記載の発明によれば、ブリッジに弾性力を付加することができるようになる。そのためブリッジそのものの堅牢性を高めることが可能である。
請求項５に記載の発明は、請求項１〜４のいずれか一項に記載のバックルにおいて、前記ブリッジは、前記アームの先端部が互いに接近及び離間する動作に応じて変形する湾曲部分を有し、前記一対のアームの各々には、前記対向面における前記ブリッジの前記基部側に突設され、前記ブリッジの湾曲部分と当接することによって前記ブリッジにおける変形量を規制する規制部が設けられていることを要旨とする。
【００１３】
請求項５に記載の発明によれば、規制部がブリッジと接触することにより、アーム同士が過度に接近あるいは離間し難くなるため、連結部位に加えられる圧縮力及び引張力の範囲を規制することができる。
【図面の簡単な説明】
【００１４】
【図１】本発明に係るバックルの一実施の形態について、その表側から見た平面構造を示す平面図。
【図２】同実施の形態に係るバックルの裏側から見た平面構造を示す平面図。
【図３】同実施の形態に係るバックルの表側から見たバックルを雄部材と雌部材とに分解した斜視構造を示す分解斜視図。
【図４】同実施の形態に係るバックルの裏側から見たバックルを雄部材と雌部材とに分解した斜視構造を示す分解斜視図。
【図５】同実施の形態に係る雄部材の表側から見た平面構造を示す平面図。
【図６】同実施の形態に係る雄部材の裏側から見た平面構造を示す平面図。
【図７】他の実施の形態に係る雄部材の表側から見た平面構造を示す平面図。
【図８】他の実施の形態に係る雄部材の裏側から見た平面構造を示す平面図。
【発明を実施するための形態】
【００１５】
以下、本発明に係るバックルの一実施の形態について図を参照して説明する。まず、バックル１の全体構造について図１及び図２を参照して説明する。バックル１の雄部材２における基部２１には、可撓性を有した一対のアーム２２が該基部２１から延びるように形成されている。またバックル１の雌部材３は、扁平した筒状に形成され、扁平方向（図１及び図２にて紙面と平行な方向）に広がる互いに対向した表壁３１と裏壁３２とを有している。この雌部材３における一方の筒端（図１及び図２における右側の筒端）には、一対のアーム２２が挿入される挿入口３Ｐが形成され、また他方の筒端には、挿入口３Ｐに対向した開放口３Ｄが形成されている。以下、挿入口３Ｐから開放口３Ｄに向けた方向を挿入方向とし、一対のアーム２２が並ぶ方向を左右方向する。またバックル１における表壁３１側を表側とし、バックル１における裏壁３２側を裏側とする。
【００１６】
図３及び図４における紙面の右側に示されるように、雄部材２が有する左右一対のアーム２２の各々は、該一対のアーム２２が含まれる平面と対向する平面視において、先端寄りが膨大するように形成されている。また右側のアーム２２における右側外側面、及び左側のアーム２２における左側外側面は、同じく一対のアーム２２が含まれる平面と対向する平面視において、その挿入方向における中間部分であるアーム係止部２２Ｓが左右方向の外側に張り出すように湾曲した形状に形成されている。
【００１７】
上述のような外形を有する一対のアーム２２の先端寄りには、それぞれ被係止部２３が形成されている。被係止部２３は、アーム２２の表面に突設された一対の表側凸部２３Ｆと、アーム２２の裏面に突設された裏側凸部２３Ｂとによって構成されている。また一対のアーム２２の先端寄りには、断面が菱形状を成してアーム２２が延びる方向（上記挿入方向）に延びるアーム孔２４が該アーム２２の表側から裏側までを貫通するように形成されている。そして一対のアーム２２が含まれる平面に対して面対称となるように、すなわち表側から見た一対のアーム２２の構造と裏側から見た一対のアーム２２の構造とが同一となるように、雄部材２は形成されている。なお、上述したようなアーム孔２４が一対のアーム２２の各々に設けられているため、アーム２２の強度が確保されつつ、雄部材２が例えば樹脂成型によって形成される際には、ひけが発生してしまうことを回避することが可能である。
【００１８】
ちなみに、アーム２２の基端寄りにおける表面及び裏面には、それぞれ基端位置決めリブ２７が配設され、またアーム２２の先端寄りにおける表面及び裏面には、それぞれ先端位置決めリブ２８が配設されている。このような位置決めリブが形成された構成では、雌部材３に雄部材２が連結される際に、一対のアーム２２の外表面と雌部材３の内表面との距離が、基端位置決めリブ２７及び先端位置決めリブ２８が形成された部位、すなわち一対のアーム２２における基端と先端とにおいて特に短くなる。そのため、雌部材３に雄部材２が連結された状態では、バックル１の厚み方向において、雌部材３に対する雄部材２の位置ずれ（がたつき）を抑えることが可能である。
【００１９】
一対のアーム２２において互いに対向する内側面には、一対のアーム２２を互いに繋ぐ可撓性を有した帯状のブリッジ２５が、アーム２２の先端寄りであって、且つ被係止部２３よりも基端寄りに形成されている。このブリッジ２５における両連結部位２５ａの各々は、一方のアーム２２から他方のアーム２２に向けて延びるように形成されている。また基部２１に対してアーム２２とは反対側には、バックル１によって締結されるベルトがその長さを可変にするように保持されるベルト保持部２６が架設されている。
【００２０】
図３及び図４における紙面の左側に示されるように、雌部材３における表壁３１は、表側から見てＸ字状を成すとともに、内側に湾曲した四つの縁によって囲まれている。また
雌部材３における裏壁３２は、裏側から見てＸ字状を成すとともに、内側に湾曲した四つの縁によって囲まれている。これら雌部材３を構成する表壁３１の四隅と裏壁３２の四隅とは、挿入口３Ｐ寄りの一対の挿入側連結壁ＷＰと開放口寄りの一対の開放側連結壁ＷＤとによって連結されている。さらに一対の挿入側連結壁ＷＰにおける内表面には、雌部材３に雄部材２が連結された状態で一対のアーム２２の基端における外側面と整合するようなガイド面ＷＰａが形成されている。そして雌部材３の挿入方向における一方の筒端には、挿入方向と平行な方向から見て矩形状の挿入口３Ｐが、上記表壁３１、裏壁３２、及び挿入側連結壁ＷＰによってその四辺を縁取られるかたちに形成されている。また雌部材３の挿入方向における他方の筒端には、挿入方向と平行な方向から見て矩形状の開放口３Ｄが、上記表壁３１、裏壁３２、及び開放側連結壁ＷＤによってその四辺を縁取られるかたちに形成されている。
【００２１】
雌部材３が有する挿入口３Ｐの開口縁には、表壁３１において挿入口３Ｐ寄りの縁である表側挿入縁３１ｐと、裏壁３２において挿入口３Ｐ寄りの縁である裏側挿入縁３２ｐとが含まれている。
【００２２】
これら表側挿入縁３１ｐ及び裏側挿入縁３２ｐは、それぞれ開放口３Ｄに向けて張り出すように湾曲した形状を有して、表壁３１の外表面及び裏壁３２の外表面と対向する平面視において互いに重なるように形成されている。また表壁３１の外表面及び裏壁３２の外表面と対向する平面視においては、表側挿入縁３１ｐ及び表側開口縁３１ｄが一対のアーム２２の外形に倣うように、表壁３１及び裏壁３２の外形が形成されている。そして雌部材３に雄部材２が連結された状態では、上記一対のアーム２２が含まれる平面に対して面対称となるように、挿入口３Ｐが形成されている。また雌部材３に雄部材２が連結された状態では、表壁３１の外表面と対向する平面視において、挿入口３Ｐから上記一対のアーム２２が露出しないように、表壁３１及び裏壁３２が形成されている（図１及び図２参照）。このような構成によれば、雌部材３に雄部材２が連結された状態において、雄部材２と雌部材３との機能的な一体感に基づく美観が高められる。また、このような構成からなる挿入口３Ｐによれば、雌部材３における挿入口３Ｐと一対のアーム２２における先端部とが互いに面対称であるため、雌部材３に雄部材２が連結される際に、一対のアーム２２が挿入口３Ｐに挿入されやすくなる。
【００２３】
一方、雌部材３が有する開放口３Ｄの開口縁には、表壁３１において開放口３Ｄ寄りの縁である表側開口縁３１ｄと、裏壁３２において開放口３Ｄ寄りの縁である裏側開口縁３２ｄとが含まれている。そして雌部材３に雄部材２が連結された状態では、上記一対のアーム２２が含まれる平面に対して非対称となるように、開放口３Ｄが形成されている。
【００２４】
詳述すると、上記表側開口縁３１ｄは、挿入口３Ｐに向けて張り出すように湾曲した形状を有している。また表壁３１の外表面と対向する平面視においては、表側挿入縁３１ｐ及び表側開口縁３１ｄが一対のアーム２２の外形に倣うように、表壁３１の外形が形成されている。そして雌部材３に雄部材２が連結された状態では、表壁３１の外表面と対向する平面視において、開放口３Ｄから上記一対のアーム２２が露出しないように、表壁３１が形成されている（図１及び図２参照）。このような構成によれば、上記挿入口３Ｐと同じく、雌部材３に雄部材２が連結された状態において、雄部材２と雌部材３との機能的な一体感に基づく美観が高められる。
【００２５】
また裏側開口縁３２ｄも、上記表側開口縁３１ｄと同じく、挿入口３Ｐに向けて張り出すように湾曲した形状を有している。しかも裏側開口縁３２ｄは、裏壁３２の外表面と対向する平面視において、上記表側開口縁３１ｄよりも挿入口３Ｐに向けてさらに窪んだ係止縁３２Ｓを有している。この係止縁３２Ｓは、裏壁３２の外表面と対向する平面視において、挿入口３Ｐに最も近い縁であって左右方向に延びる底縁と、該底縁における左右方
向の両端から挿入方向に延びる一対の側縁とから構成されている。そして雌部材３に雄部材２が連結された状態では、裏壁３２の外表面と対向する平面視において、上記係止縁３２Ｓが形成される分、開放口３Ｄから上記一対のアーム２２が露出するようになる。
【００２６】
なお、雌部材３に雄部材２が連結された状態では、上記係止縁３２Ｓを構成する底縁と上記一対の裏側凸部２３Ｂとが当接し、且つ上記一対の裏側凸部２３Ｂのみが係止縁３２Ｓから露出するように、裏壁３２は形成されている（図１及び図２参照）。そして雌部材３に雄部材２が連結される状態では、上記一対のアーム２２が有する裏側凸部２３Ｂが係止縁３２Ｓの底縁に当接して、該裏側凸部２３Ｂが挿入口３Ｐ側へ移動し難くなる。このような構成によれば、開放口３Ｄの一部が裏側凸部２３Ｂに対する係止部として機能することになるため、このような係止部が別途形成される構成と比較して、雌部材３の構成をより簡便なものとすることが可能である。
【００２７】
また係止縁３２Ｓにおける裏壁３２の厚さは、裏側凸部２３Ｂの厚さよりも大きくなるように形成されている。このような構成によれば、裏側凸部２３Ｂと係止縁３２Ｓとが係合する状態で、該裏側凸部２３Ｂが裏壁３２の外表面から突出しなくなる。そのため、一対のアーム２２に形成された裏側凸部２３Ｂと裏壁３２に形成された係止縁３２Ｓとの係合が外部からの干渉を受け難くなる。その結果、予期せぬ原因によって雄部材２と雌部材３との連結が解除されることを抑えることが可能である。
【００２８】
表壁３１における内表面には、図４における紙面の左側に示されるように、挿入方向に延びる表側案内溝３６が形成されている。表側案内溝３６は、表側挿入縁３１ｐから開放口３Ｄに向けて溝幅が一定の割合で狭くなるように形成された表側挿入溝３６ａと、上記表側挿入溝３６ａの開放口３Ｄ側に拡開された係止溝３６Ｓとを有している。この係止溝３６Ｓを構成する溝側壁は、裏壁３２の外表面と対向する平面視において、上述した係止縁３２Ｓと重なるように形成されている。そして雄部材２が雌部材３に挿入される際には、上記一対のアーム２２が有する表側凸部２３Ｆが、表側挿入溝３６ａの溝側壁に摺接して係止溝３６Ｓまで案内される。そして雌部材３に雄部材２が連結される状態では、上記一対のアーム２２の表側凸部２３Ｆが係止溝３６Ｓの溝側壁に当接して、該表側凸部２３Ｆが挿入口３Ｐ側へ移動し難くなる。
【００２９】
また裏壁３２における内表面には、図３における紙面の左側に示されるように、挿入方向に延びる裏側案内溝３７が形成されている。裏側案内溝３７は、裏側挿入縁３２ｐから係止縁３２Ｓまで溝幅が狭くなるように形成されている。この裏側案内溝３７を構成する溝側壁は、裏壁３２の外表面と対向する平面視において、上述した表側挿入溝３６ａと重なるように形成されている。そして雄部材２が雌部材３に挿入される際には、上記一対のアーム２２が有する裏側凸部２３Ｂが、裏側案内溝３７の溝側壁に摺接して係止縁３２Ｓまで案内される。
【００３０】
さらに雌部材３には、上述した挿入口３Ｐ及び開放口３Ｄに加え、上記挿入方向と直交する方向において互いに対向する一対のアーム挿通孔ＳＨが形成されている。一対のアーム挿通孔ＳＨは、左右方向と平行な方向から見て、表壁３１、裏壁３２、挿入側連結壁ＷＰ、及び開放側連結壁ＷＤによって四辺を縁取られた矩形状に形成されている。また一対のアーム挿通孔ＳＨの開口縁は、上述した一対のアーム２２が有するアーム孔２４の内周面２４ａに倣うかたちに形成されている。これら一対のアーム挿通孔ＳＨは、雌部材３に雄部材２が連結された状態で、一対のアーム２２の各々のアーム孔２４が雌部材３の外側に露出し、且つ一対のアーム挿通孔ＳＨの各々がアーム２２によって塞がれるかたちに形成されている。このような構成によれば、アーム孔２４の内周面２４ａの形状がアーム挿通孔ＳＨの開口形状に倣うことになる（図１及び図２参照）。そのため、バックル１における雄部材２と雌部材３との機能的な一体感に基づく美観が醸成されつつ、一対のアーム
挿通孔ＳＨから雌部材３の内部へ異物が侵入することを抑えることが可能である。
【００３１】
また雌部材３の内部には、上記表側案内溝３６における左右方向の中央と上記裏側案内溝３７における左右方向の中央とを連結する仕切板３８が挿入方向に延びるように形成されている。このような構成からなる仕切板３８が形成されることによって、雌部材３における表壁３１が撓んだり裏壁３２が撓んだりすることが抑えられるようになっている。また雌部材３における挿入方向の端部には、バックル１によって締結されるベルトがその長さを変更不可能なように取り付けられるベルト取り付け部３９が設けられている。このベルト取り付け部３９には、バックル１の軽量化を図るべく、３個の有底穴が設けられている。
【００３２】
そして図１及び図２に示されるように、一対のアーム２２が挿入口３Ｐから挿入方向に挿入されると、まずアーム２２の外表面がガイド面ＷＰａに摺接しつつ、一対のアーム２２の先端が雌部材３の内部に進入する。次いでアーム２２の表面に突設された一対の表側凸部２３Ｆが表側挿入溝３６ａに沿って係止溝３６Ｓまで案内される。またアーム２２の裏面に突設された一対の裏側凸部２３Ｂが裏側案内溝３７に沿って開放口３Ｄまで案内される。
【００３３】
この際、一対のアーム２２の各々における外表面は、アーム係止部２２Ｓにおいて左右方向の外側に張り出すような形状を有する。そして一対の挿入側連結壁ＷＰにおけるガイド面ＷＰａは、一対のアーム２２の基端における外表面と整合する形状を有している。そのため、一対のアーム２２が雌部材３に挿入されると、一対のアーム２２の各々における外表面がガイド面ＷＰａよりも外側に張り出す分、アーム２２の外表面がガイド面ＷＰａによって左右方向の中央寄りに押されることとなる。その結果、アーム係止部２２Ｓがガイド面ＷＰａに位置するときに、一対のアーム２２が左右方向の中央寄りに最も大きく撓むようになる。そしてアーム係止部２２Ｓがガイド面ＷＰａを通過すると、アーム２２の外表面に対するガイド面ＷＰａの押込みが解除されて、一対のアーム２２における撓みが表側挿入溝３６ａ及び裏側案内溝３７の案内に従うものとなる。なお、表側挿入溝３６ａ及び裏側案内溝３７の溝幅は、挿入口３Ｐから開放口３Ｄに向けて一定の割合で狭くなるように形成されている。そのため、上記表側挿入溝３６ａ及び裏側案内溝３７の案内に従って一対のアーム２２が挿入される前に、まずは一対のアーム２２は左右方向の中央寄りに一定の割合で撓みながら雌部材３の内部へ進入するようになる。このような構成によれば、アーム係止部２２Ｓがガイド面ＷＰａを通過する際にアーム２２に対する外力が一旦増えることになるため、アーム係止部２２Ｓとガイド面ＷＰａとの係合によって、一対のアーム２２を雌部材３に仮止めすることが可能である。
【００３４】
そして一対のアーム２２が雌部材３に挿入され続けると、表側凸部２３Ｆが係止溝３６Ｓに到達し、裏側凸部２３Ｂが開放口３Ｄに到達する。すると、係止溝３６Ｓが表側挿入溝３６ａから拡開されているため、また係止縁３２Ｓが裏側案内溝３７から拡開されているため、左右方向の中央寄りに撓んでいた一対のアーム２２が、これら係止溝３６Ｓの形状及び係止縁３２Ｓの形状に従って互いに左右方向の外側に広がる。これによって、表側凸部２３Ｆが係止溝３６Ｓの溝側壁に当接して、該表側凸部２３Ｆが挿入口３Ｐ側へ移動し難くなる。また裏側凸部２３Ｂが係止縁３２Ｓの底縁に当接して、該裏側凸部２３Ｂが挿入口３Ｐ側へ移動し難くなる。そして雌部材３に雄部材２が連結される。
【００３５】
次に、上記ブリッジ２５の構成について図５及び図６に従って詳細に説明する。図５及び図６に示されるように、図５における紙面上側、図６における紙面下側に位置する右側のアーム２２の基端たる回転中心２２ａから、ブリッジ２５が該右側のアーム２２に連結される連結部位たる第一連結部位２５ｃに向かう方向を方向Ａ１とする。また第一連結部位２５ｃからブリッジ２５が突出する方向を方向Ａ２とするとともに、回転中心２２ａを
中心として、回転中心２２ａから第一連結部位２５ｃまでの距離を半径とし、第一連結部位２５ｃを通る円弧を円弧Ｃ１とする。このとき、方向Ａ２は、第一連結部位２５ｃにて円弧Ｃ１と接する接線方向、換言すると一対のアーム２２が含まれる平面上において方向Ａ１と直交する方向となるように規定されている。
【００３６】
同様に、図５における紙面下側、図６における紙面上側に位置する左側のアーム２２の基端たる回転中心２２ｂから、ブリッジ２５の該アーム２２における連結部位たる第二連結部位２５ｄに向かう方向を方向Ｂ１とする。また第二連結部位２５ｄからブリッジ２５が突出する方向を方向Ｂ２とするとともに、回転中心２２ｂを中心として、回転中心２２ｂから第二連結部位２５ｄまでの距離を半径とし、第二連結部位２５ｄを通る円弧を円弧Ｃ２とする。このとき、方向Ｂ２は、第二連結部位２５ｄにて円弧Ｃ２と接する接線方向、換言すると一対のアーム２２が含まれる平面上において方向Ｂ１と直交する方向となるように規定されている。
【００３７】
すなわち、一対のアーム２２の各々における対向面からブリッジ２５が突き出される方向は、一対のアーム２２の各々の基端を中心として該アーム２２における連結部位が描く各円弧の接線方向と一致するようにされている。なお、本実施の形態では、円弧Ｃ１と円弧Ｃ２との半径が互いに等しくなるように、一対のアーム２２とブリッジ２５とが連結されている。
【００３８】
またブリッジ２５における中間部２５ｂは、一方のアーム２２と他方のアーム２２との中間において基部２１に向けて凸状に湾曲するかたちに形成されている。そしてブリッジ２５は、一対のアーム２２が含まれる平面と対向する平面視においてΩ字状に形成されている。
【００３９】
このような構成からなるブリッジ２５によれば、一対のアーム２２の間隔を広げる方向に過度の外力が掛かった場合であっても、第一連結部位２５ｃに対して該外力は方向Ａ２の向きに作用し、第二連結部位２５ｄに対して同外力は方向Ｂ２の向きに作用することとなる。すなわち第一連結部位２５ｃ及び第二連結部位２５ｄに対して外力が作用する方向Ａ２、Ｂ２が、ブリッジ２５が突設される方向と一致するため、これら第一連結部位２５ｃ及び第二連結部位２５ｄにはせん断力が発生し難い。またブリッジ２５そのものに弾性力を付加することが可能でもある。
【００４０】
なお、一対のアーム２２において上記半径が互いに異なる場合には、一方の連結部位に対する引張力がブリッジ２５を介して他方の連結部位に作用することが少なくない。また一対のアーム２２の各々における上記半径が互いに異なる構成では、一対のアーム２２の各々における上記接線方向が大きく異なる。このため、一対のアーム２２において上記半径が互いに異なる場合には、上述した連結部位間の相互作用に基づき、各連結部位におけるせん断力がより大きなものとなる。この点、本実施の形態における一対のアーム２２においては、円弧Ｃ１と円弧Ｃ２との半径が互いに等しい。そのため第一連結部位２５ｃ及び第二連結部位２５ｄに対する引張力が第二連結部位２５ｄ及び第一連結部位２５ｃに相互作用するとしても、互いの引張力が等しくなるため、第一連結部位２５ｃ及び第二連結部位２５ｄの作用する力も等しく、また該引張力の作用する方向が互いに略反対方向になる。それゆえに、上述した相互作用に起因するせん断力を第一連結部位２５ｃ及び第二連結部位２５ｄにおいて抑えることが可能にもなる。
【００４１】
加えて第一連結部位２５ｃ及び第二連結部位２５ｄがアーム２２の被係止部２３から離れた位置に設けられているため、これら第一連結部位２５ｃ及び第二連結部位２５ｄには、被係止部２３が受ける係合力が作用しない。それゆえに、アーム２２におけるブリッジ２５の各連結部位の強度を効果的に維持することが可能となり、ひいては雄部材２の剛性
を高めることが可能ともなる。
【００４２】
また第一連結部位２５ｃ及び第二連結部位２５ｄは、一対のアーム２２において互いに対向する内側面の被係止部２３よりも基端寄りに形成されているため、アーム２２の先端部分に形成されている場合と比べて、円弧Ｃ１及び円弧Ｃ２の半径を小さくすることができる。それゆえに、第一連結部位２５ｃ及び第二連結部位２５ｄの変位量をより小さくすることができる、換言すると第一連結部位２５ｃ及び第二連結部位２５ｄに対する引張力を軽減させることができるため、さらに雄部材２の剛性を高めることが可能となる。
【００４３】
以上説明したように、本実施の形態に係るバックルによれば、以下列記するような効果が得られるようになる。
（１）一対のアーム２２を連結する可撓性のブリッジ２５は、一対のアーム２２の各々が他のアーム２２と対向する対向面に連結されている。またブリッジ２５とアーム２２との連結部位２５ａでは、アーム２２の基端を中心として該基端から連結部位２５ａまでの距離を半径とする円弧Ｃの接線方向に沿って、アーム２２における上記対向面から他のアーム２２に向けてブリッジ２５が突設されている。つまりブリッジ２５とアーム２２とが連結される第一連結部位２５ｃ及び第二連結部位２５ｄが移動する方向に沿ってブリッジ２５が突設されている。このため、第一連結部位２５ｃ及び第二連結部位２５ｄにおけるせん断力を抑えることができ、ひいてはバックル１における堅牢性を高めることが可能である。
【００４４】
（２）一対のアーム２２の各々における上記半径が互いに等しくなるようにした。一対のアーム２２の各々における上記半径が互いに等しいため、一方の連結部位に対する引張力が他方の連結部位に作用する場合であっても、上記半径が互いに異なる構成と比較して、第一連結部位２５ｃ及び第二連結部位２５ｄにおけるせん断力を抑えることが可能である。
【００４５】
（３）一対のアーム２２においては、雌部材３に係止される被係止部２３が先端寄りに形成され、連結部位が被係止部２３に対して基部２１側に形成されている。これにより、被係止部２３に作用する係止力が一対のアーム２２における先端寄りに作用する一方、各連結部位２５ａに作用する引張力が上記係止力の作用部位たる被係止部２３とは異なる部位に作用することとなる。それゆえ、これら係止力と引張力とがアーム２２の同じ部位に作用しなくなるため、バックル１における堅牢性をさらに高めることが可能である。
【００４６】
（４）一対のアーム２２が含まれる平面と対向する平面視において、ブリッジ２５が基部２１に向けて湾曲したΩ字状となるようにした。これにより、ブリッジ２５に弾性力を付加することが可能である。
【００４７】
なお、上記実施の形態は、以下のような態様をもって実施することもできる。
・上述した構成からなるブリッジ２５は、アーム２２の先端部が互いに接近すると、少なからず挿入方向に延びるように変形する。またアーム２２の先端部が互いに少なからず左右方向に広がるように変形する。そこで、このようなブリッジ２５の変形量を規制するべく、一対のアーム２２の各々の対向面において、ブリッジ２５に対する基部２１側に突設され、ブリッジ２５の湾曲部分である中間部２５ｂと当接することによってブリッジ２５における変形量を規制する規制部が形成される構成であってもよい。例えば、図７及び図８に示されるように、一対のアーム２２の先端に近づくほど左右方向に広がる傾斜面を有した一対の三角板状の規制部２９がブリッジ２５の基部２１側に形成される構成であってもよい。
【００４８】
このような構成からなる規制部２９によれば、アーム２２の先端部が互いに接近してブ
リッジ２５が挿入方向に延びるように変形すると、ブリッジ２５における中間部２５ｂと規制部２９における上記傾斜面とが当接することとなる。そしてブリッジ２５における挿入方向の変形量が規制部２９によって規制されることとなる結果、アーム２２同士の過度な接近を抑えることが可能になる。またアーム２２の先端部が互いに離間してブリッジ２５が左右方向に広がるように変形すると、これもまたブリッジ２５における中間部２５ｂと規制部２９における上記傾斜面とが当接することとなる。そしてブリッジ２５における左右方向の変形量が規制部２９によって規制されることとなる結果、アーム２２同士の過度な離間を抑えることが可能になる。ひいてはアーム２２同士が過度に接近あるいは離間し難くなる。このため、第一連結部位２５ｃ及び第二連結部位２５ｄに加えられる圧縮力及び引張力を抑制することができるようになる。
【００４９】
・図３〜図８に示されるように、ブリッジ２５における中間部２５ｂを、一方のアーム２２と他方のアーム２２との中間において基部２１に向けて凸状に湾曲するように形成した。これを変更して、一方のアーム２２と他方のアーム２２との中間においてアーム２２の先端に向けて凸状に湾曲するように形成してもよい。ただしこれに伴い、ブリッジ２５と接触する規制部２９が配設される位置も適宜変更される。すなわち上述のように先端に向けて凸状に湾曲する形状の場合には、第一連結部位２５ｃ及び第二連結部位２５ｄよりもアーム２２の先端寄りに規制部２９が形成される。なお、雌部材３に形成された仕切板３８とこれらブリッジ２５及び規制部２９とが干渉しないようにする必要がある。
【００５０】
・第一連結部位２５ｃ及び第二連結部位２５ｄは、被係止部２３に対する基部２１側である。これを変更して、第一連結部位２５ｃ及び第二連結部位２５ｄは、被係止部２３に対してアーム２２の先端側であってもよい。このような構成であっても、上記（１）〜（３）に準じた効果を得ることが可能である。あるいは第一連結部位２５ｃ及び第二連結部位２５ｄは、挿入方向において、被係止部２３と同じ位置であってもよい。このような構成であれ、上記（１）（２）に準じた効果を得ることが可能である。
【００５１】
・一対のアーム２２の各々における上記半径は互いに等しい。これを変更して、一対のアーム２２の各々における上記半径が互いに異なる構成であってもよい。このような構成であっても、上記（１）に準じた効果を得ることが可能である。
【００５２】
・連結前の雄部材２において、ブリッジ２５とアーム２２との連結部位２５ａは、円弧Ｃの接線方向に形成されている。一方、アーム２２とブリッジ２５との剛性が互いに異なる場合には、雄部材２が雌部材３に挿入される過程で、アーム２２の変形量とブリッジ２５の変形量とが互いに異なることが少なくない。そのため、上記のような構成のもとでは、連結部位２５ａの延設方向が連結過程において変わることもある。そこで、上述した構成に限らず、例えば連結過程の少なくとも一部、つまりアームの可動範囲の少なくとも一部において、上記円弧Ｃの接線方向に沿って対向面から他のアーム２２に向けてブリッジ２５が突出するように連結部位２５ａが形成される構成であればよい。例えば、連結前の状態では、一方の対向面に対する法線方向に連結部位２５ａが突設される構成であってもよく、要は、連結過程の少なくとも一部において、円弧Ｃの接線方向に沿って連結部位２５ａが突出するように、ブリッジ２５が形成される構成であればよい。このような構成であっても、連結部位２５ａが移動する方向に沿ってブリッジ２５が突出するという機会がある以上、連結部位２５ａにおけるせん断力を抑えることができ、ひいてはバックル１における堅牢性を高めることが可能である。
【００５３】
・図３及び図４における紙面の右側に示されるように、バックル１の厚み方向におけるブリッジ２５の幅は、同厚み方向におけるアーム２２の厚みよりも小さく、第一連結部位２５ｃ及び第二連結部位２５ｄには段差が形成されている。これを変更して、バックル１の厚み方向におけるブリッジ２５の幅と同厚み方向におけるアーム２２の厚みとを等しく
して、第一連結部位２５ｃ及び第二連結部位２５ｄにおいて上記段差が形成されない構成としてもよい。あるいはバックル１の厚み方向におけるブリッジ２５の幅を同厚み方向におけるアーム２２の厚みよりも大きくしてもよい。これにより、バックル１の厚み方向におけるブリッジ２５の幅と同厚み方向におけるアーム２２の厚みとの関係を自由に選択することができるため、アーム２２の剛性やブリッジ２５のばね定数等を製品仕様に応じて適宜設定することが可能となる。
【００５４】
・アーム挿通孔ＳＨの挿入口３Ｐ寄りの外縁において、アーム２２の左側及び右側における外側面が係止されるようにしてもよい。要は、雌部材に雄部材が挿入され且つ連結されるバックルであって、雄部材に設けられた一対のアームの基端部分及び先端部分が雌部材に包含されるバックルであればよい。
【００５５】
・一対のアーム２２においてアーム孔２４が割愛される構成であってもよい。このようにしても、扁平筒状に形成された雌部材３の筒側面、すなわちアーム挿通孔ＳＨから異物が入り込むことをアーム２２によって抑えることができる。
【００５６】
・仕切板３８を設けるとしたが、これに限られず、仕切板３８が割愛される構成であってもよい。
・ベルト取り付け部３９には、３個の有底穴が設けられているとしたがこれに限らず、有底穴を何個でも設けてもよいし、あるいは有底穴を設けないようにしてもよい。
【００５７】
・バックル１により締結されるベルトがその長さを変更可能に保持されるベルト保持部２６を雌部材３に形成し、該ベルトの長さを変更不可能に取り付けられるベルト取り付け部３９を雄部材２に形成するようにしてもよい。このようにしても、バックル１の締結時におけるベルトの長さを変更することができる。
【符号の説明】
【００５８】
Ａ１、Ａ２、Ｂ１、Ｂ２…方向、Ｃ、Ｃ１、Ｃ２…円弧、１…バックル、２…雄部材、３…雌部材、２１…基部、２２…アーム、２２Ｓ…アーム係止部、２３…被係止部、２３Ｆ…表側凸部、２３Ｂ…裏側凸部、２４…アーム孔、２４ａ…内周面、２５…ブリッジ、２５ａ…連結部位、２５ｂ…中間部、２５ｃ…第一連結部位、２５ｄ…第二連結部位、２６…ベルト保持部、２７…基端位置決めリブ、２８…先端位置決めリブ、２９…規制部、３１…表壁、３１ｐ…表側挿入縁、３１ｄ…表側開口縁、３２…裏壁、３２ｐ…裏側挿入縁、３２ｄ…裏側開口縁、３２Ｓ…係止縁、３Ｐ…挿入口、３Ｄ…開放口、ＷＰ…挿入側連結壁、ＷＤ…開放側連結壁、ＷＰａ…ガイド面、ＳＨ…アーム挿通孔、３６…表側案内溝、３６ａ…表側挿入溝、３６Ｓ…係止溝、３７…裏側案内溝、３８…仕切板、３９…ベルト取り付け部。
【図１】
2011254928.tif 000003
【図２】
2011254928.tif 000004
【図３】
2011254928.tif 000005
【図４】
2011254928.tif 000006
【図５】
2011254928.tif 000007
【図６】
2011254928.tif 000008
【図７】
2011254928.tif 000009
【図８】
2011254928.tif 000010